(57)【要約】【課題】  母親が乳幼児を優しく抱きかかえるかのように、座席上の乳幼児を座席マットで優しく包み込むことができるようにする。【解決手段】  育児器具の座席マット１は、育児器具の座席上に広がって延在する主要部２と、この主要部２の幅方向両側部から側方に張り出す１対の側方張出部３とを備える。各側方張出部３は、その裏面側に、育児器具に備え付けの腰ベルト１０を案内する腰ベルト案内路を有する。【選択図】      図１１
2005319031.tif 000002
【特許請求の範囲】
【請求項１】
育児器具の座席上に広がって延在する主要部と、
前記主要部の幅方向両側部から側方に張り出す１対の側方張出部とを備え、
前記各側方張出部は、その裏面側に、育児器具に備え付けの腰ベルトを案内する腰ベルト案内路を有する、育児器具の座席マット。
【請求項２】
前記各側方張出部は、表面側に位置する表面シートと、前記腰ベルト案内路を形成するように裏面側に位置する裏面シートとを含む、請求項１に記載の育児器具の座席マット。
【請求項３】
前記裏面シートは、腰ベルトを通過させるスリットを有している、請求項２に記載の育児器具の座席マット。
【請求項４】
前記表面シートと前記裏面シートとの間にパッド部材が配置され、
前記腰ベルト案内路は、前記パッド部材と前記裏面シートとの間に形成される、請求項２または３に記載の育児器具の座席マット。
【請求項５】
前記裏面シートと前記パッド部材とによって下方に開口を有する袋状部分が形成されている、請求項４に記載の育児器具の座席マット。
【請求項６】
前記１対の側方張出部は、前記主要部と同平面になる方向に復帰しようとする弾性力を有している、請求項１〜５のいずれかに記載の育児器具の座席マット。
【請求項７】
前記主要部の下方領域上に重なるように配置され、その幅方向両端縁および下端縁が前記主要部に連結されている脚カバーをさらに備える、請求項１〜６のいずれかに記載の座席マット。
【請求項８】
座席と、前記座席上に置かれる座席マットと、１対の腰ベルトと、股ベルトとを備え、
前記座席マットは、前記座席上に広がって延在する主要部と、この主要部の幅方向両側部から側方に張り出す１対の側方張出部とを備え、
前記各側方張出部は、その裏面側において前記腰ベルトを案内する腰ベルト案内路と、腰ベルトを通過させるスリットとを含み、
前記主要部は、前記股ベルトを通過させるスリットを含む、育児器具。
【請求項９】
前記１対の腰ベルトの連結が解かれている状態では、各腰ベルトを外側方の位置にもたらすように付勢する付勢手段をさらに備える、請求項８に記載の育児器具。
【請求項１０】
前記腰ベルトの内側に沿うように配置された腰ベルトパッド部材を含み、
前記側方張出部は、表面側に位置する表面シートと、前記腰ベルト案内路を形成するように裏面側に位置する裏面シートとを含み、
前記表面シートと前記裏面シートとは、下方に開口を有する袋状部分を形成し、
前記腰ベルトパッド部材は、前記袋状部分に受入れられている、請求項８または９に記載の育児器具。
【請求項１１】
前記腰ベルトパッド部材が前記袋状部分に受入れられている状態では、前記座席マットの主要部は前記座席の座面から上方に離れて位置している、請求項１０に記載の育児器具。
【発明の詳細な説明】
【技術分野】
【０００１】
この発明は、座席を有する育児器具に関し、特に座席上に置かれる座席マットに関するものである。
【背景技術】
【０００２】
座席を有する育児器具として、乳母車、チャイルドシート、育児椅子等がある。これらの育児器具の座席上に、乳幼児の肌に優しく接するようにするための座席マットが置かれることがある。
【０００３】
このような座席マットは、例えば、特開２０００−２９６７３４号公報（特許文献１）や特開２００２−２１１４１０号公報（特許文献２）に開示されている。
【特許文献１】特開２０００−２９６７３４号公報
【特許文献２】特開２００２−２１１４１０号公報
【発明の開示】
【発明が解決しようとする課題】
【０００４】
本願発明は、育児器具の座席上に置かれる座席マットの構造を改良しようとするものである。具体的には、本発明の目的は、母親が乳幼児を優しく抱きかかえるかのように、座席上の乳幼児を座席マットで優しく包み込むことができるようにすることである。
【課題を解決するための手段】
【０００５】
この発明に従った育児器具の座席マットは、育児器具の座席上に広がって延在する主要部と、この主要部の幅方向両側部から側方に張り出す１対の側方張出部とを備える。各側方張出部は、その裏面側に、育児器具に備え付けの腰ベルトを案内する腰ベルト案内路を有する。
【０００６】
上記構成によれば、１対の腰ベルトが１対の側方張出部の腰ベルト案内路を通過するので、１対の腰ベルトを装着したとき、座席マットの１対の側方張出部が乳幼児の胴側部上を延在し、座席マットによって乳幼児の身体を包むようになる。
【０００７】
一つの実施形態では、各側方張出部は、表面側に位置する表面シートと、前記腰ベルト案内路を形成するように裏面側に位置する裏面シートとを含む。この場合、裏面シートは、例えば、腰ベルトを通過させるスリットを有している。
【０００８】
好ましくは、表面シートと前記裏面シートとの間にパッド部材が配置される。この場合、腰ベルト案内路は、パッド部材と裏面シートとの間に形成される。このような構成であれば、腰ベルトを装着したとき、腰ベルトから付与される圧力がパッド部材によって吸収されるので、乳幼児の身体に対して優しいものとなる。具体的な実施形態では、裏面シートとパッド部材とによって下方に開口を有する袋状部分が形成されている。
【０００９】
好ましい実施形態として、１対の側方張出部は、主要部と同平面になる方向に復帰しようとする弾性力を有している。このような構成であれば、１対の側方張出部は座席前方を大きく開放するので、乳幼児を座席に容易に乗せたり降ろしたりすることができる。言い換えれば、１対の側方張出部の存在が、乳幼児の座席への乗せ降ろしの邪魔にならない。
【００１０】
さらに好ましい実施形態として、座席マットは、主要部の下方領域上に重なるように配置され、その幅方向両端縁および下端縁が前記主要部に連結されている脚カバーをさらに備える。上記構成によれば、脚カバーが袋状形態を有しているので、夏のように暑い季節では、乳幼児の脚部は脚カバーの上に置かれ、冬のように寒い季節では、乳幼児の脚部は脚カバーの下に置かれる。
【００１１】
この発明に従った育児器具は、座席と、この座席上に置かれる座席マットと、１対の腰ベルトと、股ベルトとを備える。座席マットは、座席上に広がって延在する主要部と、この主要部の幅方向両側部から側方に張り出す１対の側方張出部とを備える。各側方張出部は、その裏面側において前記腰ベルトを案内する腰ベルト案内路と、腰ベルトを通過させるスリットとを含む。主要部は、股ベルトを通過させるスリットを含む。
【００１２】
上記構成の育児器具によれば、１対の腰ベルトが１対の側方張出部の腰ベルト案内路を通過するので、１対の腰ベルトを装着したとき、座席マットの１対の側方張出部が乳幼児の胴側部上を延在し、座席マットによって乳幼児の身体を包むようになる。
【００１３】
一つの実施形態では、育児器具は、１対の腰ベルトの連結が解かれている状態では、各腰ベルトを外側方の位置にもたらすように付勢する付勢手段をさらに備える。このような構成であれば、１対の腰ベルトは、非使用状態では常に座席の前面を開放してるので、子供を座席に乗せようとするときに腰ベルトを邪魔にならない位置に動かすような作業を不要にできる。
【００１４】
好ましい実施形態では、育児器具は、腰ベルトの内側に沿うように配置された腰ベルトパッド部材を含む。また、座席マットの側方張出部は、表面側に位置する表面シートと、腰ベルト案内路を形成するように裏面側に位置する裏面シートとを含む。表面シートと裏面シートとは、下方に開口を有する袋状部分を形成する。腰ベルトパッド部材は、袋状部分に受入れられている。
【００１５】
さらに好ましい実施形態では、腰ベルトパッド部材が座席マットの上記袋状部分に受入れられている状態では、座席マットの主要部は座席の座面から上方に離れて位置している。このような構成であれば、乳幼児を座席マット上に乗せたとき、乳幼児の体重により座席マットの１対の側方張出部が内側に引き寄せられるので、座席マットによって乳幼児の身体をスムーズに包み込むことができる。
【発明を実施するための最良の形態】
【００１６】
この発明は座席を有する育児器具に適用されるものであるが、以下の説明では、そのような育児器具の一例として乳母車の座席を説明する。
【００１７】
図１〜図４は、乳母車の座席上に置かれる座席マット１を示している。図１は座席マット１の表面を示し、図２は座席マット１の裏面を示している。座席マット１は、座席上に広がって延在する主要部２と、この主要部２の幅方向両側部から側方に張り出す１対の側方張出部３とを備える。
【００１８】
図１に示すように、主要部２には、股ベルト２０（図５参照）を通過させる股ベルト用スリット５が形成されている。また、図２に示すように、座席マット１の裏面には、取付帯６が取り付けられている。座席マット１を乳母車の座席上に取り付けるとき、取付帯６を座席形成部材の下に通す。
【００１９】
図３および図４は、側方張出部３を裏面側から見た図である。側方張出部３は、その裏面側に、乳母車に備え付けの腰ベルト１０（図５参照）を案内する腰ベルト案内路を有する。具体的には、側方張出部３は、表面側に位置する表面シート３ａと、腰ベルト案内路を形成するように裏面側に位置する裏面シート３ｂとを含む。表面シート３ａと、裏面シート３ｂとは境界線８で縫合されており、そのため裏面シート３ｂは袋状になっている。図３に示すように、裏面シート３ｂには、腰ベルト１０を通過させる腰ベルト用スリット４が形成されている。
【００２０】
図４に示すように、表面シート３ａと裏面シート３ｂとの間にパッド部材７が配置されている。腰ベルト案内路は、パッド部材７と裏面シート３ｂとの間に形成される。パッド部材７は、境界線８のところで、表面シート３ａおよび裏面シート３ｂに縫合されている。したがって、裏面シート３ｂとパッド部材７とによって、下方（内側方）に開口を有する袋状部分が形成される。
【００２１】
１対のパッド部材７を主要部２と同平面に延在するように設けることにより、１対の側方張出部３は主要部２と同平面になる方向に復帰しようとする弾性力を発揮する。１対の側方張出部３がこのような弾性力を有していれば、非使用状態において１対の側方張出部３は座席の前面を開放するので、１対の側方張出部３の存在が乳幼児の座席への乗せ降ろしの邪魔にならない。
【００２２】
図５〜図９は、乳母車の座席を示している。図５に示すように、座席の座面９上に、１対の腰ベルト１０および股ベルト２０が露出している。固定手段によるロックが解除されている状態では、１対の腰ベルト１０は、座席を大きく開放して外側方の位置にもたらされるように付勢されている。同様に、股ベルト２０も、固定手段によるロックが解除されている状態では、座席を大きく開放して前方の位置にもたらされるように付勢されている。
【００２３】
図５、図６および図７に示すように、各腰ベルト１０は、開放位置に自動復帰する弾性力を発揮する腰ベルトパッド１１を含む。腰ベルトパッド１１の外面にはループ部１２が形成されており、腰ベルトはこのループ部１２を通過する。また、腰ベルト１０の先端には、連結用の差込具１３が取り付けられている。
【００２４】
図８および図９に示すように、股ベルト２０は、その上端部分から両側方に張り出して延びる１対の側方張出部２１を含む。好ましくは、股ベルト２０の上端部分および１対の側方張出部２１は、着座した乳幼児の胴部を凹凸の無い面で包み込むような形状を有する。このような形状の股ベルト２０を用いることにより、子供の腰部分を安定して保持することができるようになる。
【００２５】
股ベルト２０の上端部分の外面にループ部２２と、このループ部２２によって覆われた連結用の受具２３が設けられている。身体拘束ベルトの装着状態では、１対の腰ベルト２０の先端にある差込具１３が受具２３に着脱可能に嵌り込む。
【００２６】
図１０〜図１５は、乳母車の座席上に座席マット１を取り付けた状態を示している。図１１に示すように、腰ベルト１０は、座席マット１の側方張出部３の腰ベルト案内路を通過する。具体的には、腰ベルト１０は、裏面シート３ｂとパッド部材７との間を通り、腰ベルト用スリット４から引出される。股ベルト２０は、座席マット１の股ベルト用スリット５から引出される。
【００２７】
図１４に示すように、１対の腰ベルトパッド１１が座席マット１の１対の側方張出部３の袋状部分に受入れられた状態では、座席マット１の主要部２は座席の座面９から上方に離れて位置している。したがって、図１２および図１５に示すように、乳幼児を座席マット１上に乗せたとき、乳幼児の体重により座席マット１の１対の側方張出部３が内側に引き寄せられるので、座席マット１によって乳幼児の身体をスムーズに包み込むことができる。
【００２８】
図１３は、１対の腰ベルト１０と股ベルト２０とを連結した状態を示している。図示するように、座席マット１の１対の側方張出部３は乳幼児の胴側部上に延在し、座席マット１は乳幼児の身体を包み込む。側方張出部３内のパッド部材７は、腰ベルト１０から付与される圧力を吸収する。
【００２９】
各腰ベルト１０は、股ベルト２０の側方張出部２１上を延びている。各側方張出部２１は、着座した、あるいは寝た状態の乳幼児の胴部と座席側壁との間の隙間内に位置するので、乳幼児の腰部分を安定させることができる。
【００３０】
図１６〜図１８は、座席マットの他の例を示している。図示する座席マット３０は、育児器具の座席上に広がって延在する主要部３１と、主要部３１の幅方向両側部から側方に張り出す１対の側方張出部３２と、主要部３１の下方領域上に重なるように配置され、その幅方向両端縁および下端縁が主要部３１に連結されている脚カバー３４とを備える。主要部３１には、股ベルト用スリット３３が形成されている。
【００３１】
座席マット３０が、前述の座席マット１と異なっているのは、脚カバー３４を余分に備えている点だけであり、その他の構成は実質的に同じである。脚カバー３４は、乳幼児の頭側に向かって開口を有する袋状形態を呈する。図１７および図１８は、座席マット３０を、座席の座面４０および１対の側壁４１に沿って配置している状態を示している。座席マット３０の主要部３１は、座面４０および側壁４１に沿ってＵ字形状に延在している。
【００３２】
図１７に示すように、夏のように暑い季節では、乳幼児の脚は脚カバー３４の上に置かれる。一方、冬のように寒い季節では、乳幼児の脚は脚カバー３４の下に置かれる。脚カバー３４は、図１７に示すように、座席の座面４０および１対の側壁４１に沿って延在し得る面積を有しているので、図１８に示す状態では、乳幼児の脚をゆとりを持って覆うことができる。
【００３３】
図示した実施形態では、育児器具として乳母車を説明したが、この発明は、チャイルドシートや育児椅子等の座席を有する育児器具全般に等しく適用される。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３５】
この発明は、座席を有する育児器具に有利に適用され得る。
【図面の簡単な説明】
【００３６】
【図１】座席マットを示す平面図である。
【図２】座席マットを示す背面図である。
【図３】座席マットの側方張出部を裏面側から見た図である。
【図４】図３に示す状態から、裏面シートを捲った状態を示す図である。
【図５】乳母車の座席を示す図である。
【図６】腰ベルトを示す図である。
【図７】腰ベルトの図解図である。
【図８】股ベルトの斜視図である。
【図９】股ベルトの図解図である。
【図１０】乳母車の座席に座席マットを取り付けた状態を示す図である。
【図１１】股ベルトを座席マットの側方張出部の裏面に通している状態を示す図である。
【図１２】座席マット上に乳幼児を乗せた状態を示す図である。
【図１３】１対の腰ベルトと股ベルトとを連結した状態を示す図である。
【図１４】座席マットを乳母車の座席上に置いた状態の図解図である。
【図１５】図１４に示す状態から、乳幼児を座席マット上に乗せた状態を示す図解図である。
【図１６】座席マットの他の例を示す平面図である。
【図１７】座席マットの脚カバーの上に乳幼児の脚が置かれている状態を示す図解図である。
【図１８】座席マットの脚カバーの下に乳幼児の脚が置かれている状態を示す図解図である。
【符号の説明】
【００３７】
１  座席マット、２  主要部、３  側方張出部、３ａ  表面シート、３ｂ  裏面シート、４  腰ベルト用スリット、５  股ベルト用スリット、６  取付帯、７  パッド部材、８境界線、９  座面、１０  腰ベルト、１１  腰ベルトパッド、１２  ループ部、１３  差込具、２０  股ベルト、２１  側方張出部、２２  ループ部、２３  受具、３０座席マット、３１  主要部、３２  側方張出部、３３  股ベルト用スリット、３４  脚カバー、４０  座面、４１  側壁。
【図１】
2005319031.tif 000003
【図２】
2005319031.tif 000004
【図３】
2005319031.tif 000005
【図４】
2005319031.tif 000006
【図５】
2005319031.tif 000007
【図６】
2005319031.tif 000008
【図７】
2005319031.tif 000009
【図８】
2005319031.tif 000010
【図９】
2005319031.tif 000011
【図１０】
2005319031.tif 000012
【図１１】
2005319031.tif 000013
【図１２】
2005319031.tif 000014
【図１３】
2005319031.tif 000015
【図１４】
2005319031.tif 000016
【図１５】
2005319031.tif 000017
【図１６】
2005319031.tif 000018
【図１７】
2005319031.tif 000019
【図１８】
2005319031.tif 000020